(57)【要約】【課題】ずれにくく、かつ、内側から外側への飛沫の飛散及び外側から内側へのウイルス、花粉等の侵入を効果的に防止することができる衛生用保護具を提供することを目的とする。【解決手段】シールド１は、装着者の鼻Ｎ、左右の頬Ｃ及び口Ｍを覆う立体的形状に形成された薄板状の本体部１０と、本体部１０の少なくとも一部に配置され、本体部１０の内側と外側との間で換気する空気を濾過するフィルター１３と、本体部１０に配置され、フィルター１３を挟み込んで固定するフィルターカバー１２と、本体部１０のうちの左右端部から装着者の耳Ｂに向けてそれぞれ延在するテンプル２０と、を備える。【選択図】図１
0003229569.tif 000002
【実用新案登録請求の範囲】
【請求項１】
装着者の鼻、左右の頬及び口を覆う立体的形状に形成された薄板状の本体部と、
前記本体部の少なくとも一部に配置され、前記本体部の内側と外側との間で換気する空気を濾過するフィルターと、
前記本体部に配置され、前記フィルターを挟み込んで固定するフィルターカバーと、
前記本体部のうちの左右端部から前記装着者の耳に向けてそれぞれ延在する耳かけ部と、を備える、
衛生用保護具。
【請求項２】
前記本体部の内側に、前記装着者の鼻、左右の頬及び口を囲む閉じた曲線状に配置されたタイト部を備える、
請求項１に記載の衛生用保護具。
【請求項３】
前記本体部のうち、前記装着者の口に位置する部分は透明である、
請求項１又は２に記載の衛生用保護具。
【請求項４】
前記本体部の少なくとも２箇所に、固定紐が通る孔が形成されている、
請求項１から３のいずれか１項に記載の衛生用保護具。
【請求項５】
前記フィルターカバーの内部に配置され、前記本体部の外側の空気を内側に吸入し、又は前記本体部の内側の空気を外側に排出して換気するファンを備える、
請求項１から４のいずれか１項に記載の衛生用保護具。
【請求項６】
前記耳かけ部は、蝶番を介して前記本体部と折り畳み可能に接続されている、
請求項１から５のいずれか１項に記載の衛生用保護具。
【請求項７】
前記耳かけ部は、前記本体部のうちの左端部から前記装着者の左耳に向けて耳かけ可能に延在する左耳かけゴムと、前記本体部のうちの右端部から前記装着者の右耳に向けて耳かけ可能に延在する右耳かけゴムと、を含む、
請求項１から５のいずれか１項に記載の衛生用保護具。
【考案の詳細な説明】
【技術分野】
【０００１】
本考案は、衛生用保護具に関する。
【背景技術】
【０００２】
従来、本体を装着者の顔に固定する部材として、眼鏡のつるに相当する棒状部材を用いる衛生用保護具が知られている。
【０００３】
特許文献１には、本体の下端から装着者の顎の下に向けて内側に折り曲げて形成されたアゴ当てシートを備える衛生用保護具が記載されている。
【０００４】
特許文献２には、本体の下部を装着者の顎に向けて内側に丸く折り曲げて形成された唾受を備える衛生用保護具が記載されている。
【先行技術文献】
【特許文献】
【０００５】
【特許文献１】実用新案登録第３１５９６６８号公報
【特許文献２】特開２００７−２２９２７９号公報
【考案の概要】
【考案が解決しようとする課題】
【０００６】
特許文献１、２に記載された衛生用保護具は、つるが接する耳と本体の下部が接する下顎の２箇所のみで装着者に支持される構造を有するものである。このため、特許文献１、２に記載された衛生用保護具では、装着者が顔を動かした場合又は口を開閉した場合に、衛生用保護具全体がずれやすいという問題がある。
【０００７】
また、特許文献１、２に記載された衛生用保護具の本体は、口と鼻の両方を覆わない。このため、特許文献１、２に記載された衛生用保護具では、内側から外側への飛沫の飛散及び外側から内側へのウイルス、花粉等の侵入を効果的に防止することができないという問題がある。
【０００８】
本考案は、上記の問題点に鑑み、ずれにくく、かつ、内側から外側への飛沫の飛散及び外側から内側へのウイルス、花粉等の侵入を効果的に防止することができる衛生用保護具を提供することを目的とする。
【課題を解決するための手段】
【０００９】
上記目的を達成するため、本考案の一つの観点に係る衛生用保護具は、
装着者の鼻、左右の頬及び口を覆う立体的形状に形成された薄板状の本体部と、
前記本体部の少なくとも一部に配置され、前記本体部の内側と外側との間で換気する空気を濾過するフィルターと、
前記本体部に配置され、前記フィルターを挟み込んで固定するフィルターカバーと、
前記本体部のうちの左右端部から前記装着者の耳に向けてそれぞれ延在する耳かけ部と、を備える。
【００１０】
本考案に係る衛生用保護具は、前記本体部の内側に、前記装着者の鼻、左右の頬及び口を囲む閉じた曲線状に配置されたタイト部を備えていてもよい。
【００１１】
前記本体部のうち、前記装着者の口に位置する部分は、透明であってもよい。
【００１２】
前記本体部の少なくとも２箇所に、固定紐が通る孔が形成されていてもよい。
【００１３】
本考案に係る衛生用保護具は、前記フィルターカバーの内部に配置され、前記本体部の外側の空気を内側に吸入し、又は前記本体部の内側の空気を外側に排出して換気するファンを備えていてもよい。
【００１４】
前記耳かけ部は、蝶番を介して前記本体部と折り畳み可能に接続されていてもよい。
【００１５】
前記耳かけ部は、前記本体部のうちの左端部から前記装着者の左耳に向けて耳かけ可能に延在する左耳かけゴムと、前記本体部のうちの右端部から前記装着者の右耳に向けて耳かけ可能に延在する右耳かけゴムと、を含んでいてもよい。
【考案の効果】
【００１６】
本考案によれば、ずれにくく、かつ、内側から外側への飛沫の飛散及び外側から内側へのウイルス、花粉、粉塵等の侵入を効果的に防止することができる衛生用保護具が提供される。
【図面の簡単な説明】
【００１７】
【図１】（Ａ）は本考案の実施の形態１に係るシールドを装着した使用状態を説明する図であり、（Ｂ）は（Ａ）に示すシールドのＳＳ’断面図であり、（Ｃ）は（Ａ）に示すシールドの背面図である。
【図２】図１（Ａ）に示すシールドのフィルターカバーのＴＴ’断面図である。
【図３】（Ａ）は図１（Ａ）に示すシールドの左側面図であり、（Ｂ）は図１（Ａ）に示すシールドの右側面図であり、（Ｃ）は図１（Ａ）に示すテンプルを折り畳んだ状態を示す参考図である。
【図４】（Ａ）は本考案の実施の形態２に係るマスクを装着した使用状態を説明する図であり、（Ｂ）は（Ａ）に示すマスクのＵＵ’断面図であり、（Ｃ）は（Ａ）に示すマスクの背面図であり、（Ｄ）は（Ｂ）に示すマスクのＬ１部の部分拡大図である。
【図５】（Ａ）は本考案の実施の形態３に係るマスクを装着した使用状態を説明する図であり、（Ｂ）は（Ａ）に示すマスクのＶＶ’断面図であり、（Ｃ）は（Ａ）に示すマスクの背面図であり、（Ｄ）は（Ｂ）に示すマスクのＬ２部の部分拡大図である。
【図６】本考案の実施の形態４に係るマスクの正面図である。
【図７】（Ａ）は本考案の実施の形態５に係るマスクのフィルターカバーを説明する図であり、（Ｂ）から（Ｉ）は（Ａ）に示すフィルターカバーの換気の具体例を示す図である。
【図８】（Ａ）は本考案の変形例１に係るマスクの左側面図であり、（Ｂ）は（Ａ）に示すマスクの右側面図であり、（Ｃ）は（Ａ）に示すマスクのテンプルに固定紐を結んだ状態を示す参考図である。
【図９】本考案の変形例２に係るマスクの斜視図である。
【考案を実施するための形態】
【００１８】
（実施の形態１）
以下に、本考案の実施の形態１に係るシールド１を、図面を参照しつつ説明する。以下、特に断らない限り、顔面を覆う衛生用保護具のうち、フィルター１３を通して吸排気するものをマスクといい、フィルター１３とそれ以外の部分の両方を通して吸排気するものをシールドという。
【００１９】
（シールド１の全体説明）
図１（Ａ）に示すように、シールド１は、装着者の鼻Ｎ、左右の頬Ｃ及び口Ｍを覆う部分である本体部１０と、本体部１０の左右に一対配置されたフィルター１３を格納するフィルターカバー１２と、本体部１０の左右の両端から装着者の耳Ｂに向けて外側に延在するテンプル２０と、を備える。
なお、以下、装着者の体の部位について左又は右という場合には、装着者の正面に相対する者から見て左又は右、すなわち向かって左又は右を指すものとする。
【００２０】
（本体部１０の説明）
本体部１０は、透明な樹脂を立体的形状に成型して形成された薄板状の保護部である。本体部１０は、全体として、装着者の鼻Ｎから口Ｍを結ぶ曲線を稜線とする凸型に形成されている。
本体部１０を構成する樹脂は、例えば、ポリカーボネート、ポリプロピレン、ポリエチレンテレフタラート、ポリスチレンを含む。本体部１０は、その立体的形状を単独で保持できる程度の剛性を備える。
【００２１】
図１（Ａ）、（Ｂ）に示すように、本体部１０のうち、装着者の頬Ｃ及び口Ｍを覆う部分は、それぞれ、装着者の頬Ｃ及び口Ｍとの間に空気が通る隙間を有する形状に形成されている。このため、シールド１を装着して呼吸をしても、装着者は息苦しくならない。
本体部１０のうち、装着者の鼻Ｎ及び口Ｍの下部、特に顎の部分は、装着者の顔と接する形状に形成されている。このため、シールド１は、ずれにくい。
【００２２】
（フィルター１３の説明）
図１（Ｃ）に示したように、本体部１０には換気孔ＶＨが開けられ、換気孔ＶＨの外側にウイルス、花粉、粉塵、飛沫等を濾過するフィルター１３が配置されている。
フィルター１３は、例えば、２枚重ねの不織布である。フィルター１３は、通気性を有する織布、折り畳んだ紙等であってもよい。
【００２３】
（フィルターカバー１２の説明）
フィルターカバー１２は、フィルター１３を外側から覆うカバーである。フィルターカバー１２は、図１（Ａ）に示したように、本体部１０の表面から装着者の側方に向けて突出する外フィン１２ａと、外フィン１２ａと平行に配置された内フィン１２ｂと、を備える。外フィン１２ａと内フィン１２ｂは、それぞれの端面において、フィルター１３をシールド１の内側に向けて押し付ける。
【００２４】
装着者が呼吸をすると、本体部１０の内側と外側との間に気圧差が生じる。その結果、フィルター１３を通して、内側から外側に空気が排出され、又は外側から内側に空気が吸入される。フィルター１３の目は細かいため、空気、水蒸気を通しやすく、飛沫、ウイルス、花粉等を通しにくい。この性質を利用して、シールド１は、フィルター１３を通して換気を行う。
【００２５】
図２に示すように、フィルターカバー１２には、軟質ガスケットリング１２ｃが装着されており、フィルターカバー１２を本体部１０に嵌め込んだ状態では、軟質ガスケットリング１２ｃは本体部１０と密着する。
また、フィルターカバー１２の端部には、軟質タイト部１２ｄが形成されており、フィルターカバー１２を本体部１０に嵌め込んだ状態では、外フィン１２ａ及び内フィン１２ｂは、それぞれの端面に配置された軟質タイト部１２ｄを介して、フィルター１３を押さえ付ける。
フィルター１３は、本体部１０に設けられた換気孔ＶＨの桟１４とフィルターカバー１２に挟み込まれて固定されている。
【００２６】
フィルターカバー１２は、軟質ガスケットリング１２ｃに囲まれている。このため、フィルターカバー１２は本体部１０と密着し、換気孔ＶＨからは、フィルター１３を通してのみ吸排気できる。
また、このような構造を有するため、装着者は、フィルターカバー１２を掴んで押し込み、軟質ガスケットリング１２ｃとともにフィルターカバー１２を桟１４に向かう方向に移動させて、フィルターカバー１２を本体部１０に固定することができる。装着者は、フィルターカバー１２を掴んで引っ張り、軟質ガスケットリング１２ｃとともにフィルターカバー１２を桟１４から離れる向かう方向に移動させて、フィルターカバー１２を本体部１０から取り外すことができる。
【００２７】
（テンプル２０の説明）
図３（Ａ）、（Ｂ）に示すように、テンプル２０は、眼鏡のつると同様の形状に形成されている。テンプル２０の端部のうち、本体部１０から離れた端部は、図１（Ａ）に示したように、装着時に装着者の耳Ｂの後ろに回り込んで引っ掛かる。
装着者が顔を下に向けても、本体部１０は、後述する蝶番２４を介してテンプル２０によって後方に引っ張られるため、シールド１はずれにくい。
なお、テンプル２０は、請求項における耳かけ部の一例である。
【００２８】
（蝶番２４の説明）
テンプル２０は、蝶番２４を介して、本体部１０と接続されている。
このため、図３（Ｃ）に示すように、テンプル２０を本体部１０の内側に折り畳んでシールド１が嵩張らないようにすることができる。
【００２９】
（取付孔ＰＨの説明）
図３（Ａ）、（Ｂ）に示したように、本体部１０の左右端の上下には、それぞれ、固定紐を結びつけるための取付孔ＰＨが開けられている。
例えば、装着者は、テンプル２０を蝶番２４から取り外した上で、左端に開けられている２つの取付孔ＰＨを固定紐で結んで１つのループとし、右端に開けられている２つの取付孔ＰＨを別の固定紐で結んで別のループとしてもよい。
このようにすることで、装着者は、２つのループをそれぞれ耳Ｂに掛けてシールド１を固定することができる。
【００３０】
（効果）
シールド１によれば、従来のシールドに比べて、ずれにくく、かつ、内側から外側への飛沫の飛散及び外側から内側へのウイルス、花粉、粉塵等の侵入を効果的に防止することができるシールドを提供することができる。
【００３１】
本体部１０は立体的形状を維持できる程度の剛性を有するため、装着者は、顔から外したシールド１をテーブルに立てて置いておくことができる。立てて置けば、シールド１は、テーブルと点で接触するため、面で接触する場合に比べて接触する面積を小さくすることができる。
このため、シールド１によれば、一時的に外して保管する場合にも、清潔を保つことができる。
【００３２】
本体部１０は透明であるため、シールド１を装着したままでも、装着者の口Ｍは外側から視認可能である。
シールド１によれば、表情を相手に伝えることができる。このため、手話通訳、接客業等の現場において、円滑なコミュニケーションを実現することができる。
【００３３】
本体部１０及びテンプル２０は樹脂製であるため、シールド１を洗剤で洗浄することができる。また、フィルター１３は交換可能である。
このため、シールド１を洗浄し、フィルター１３を交換することで、シールド１を清潔に保って、繰り返し用いることができる。
なお、例えば、携帯型のアルコールスプレーがあれば、洗剤がなくても、シールド１に吹き付けて、清潔を保つことができる。
【００３４】
図１（Ａ）、（Ｃ）等に示したように、フィルター１３の面積は、通常の布マスク、不織布マスク等に比べて小さい。このため、シールド１によれば、フィルター１３を使い捨てとしても、資源を節約することができる。
【００３５】
シールド１を装着した状態においては、外フィン１２ａ及び内フィン１２ｂの開口は、後方を向いているため、装着者が吐き出した息を含む空気は、装着者より後方に排出される。
シールド１によれば、仮に、装着者が吐き出した息にフィルター１３で除去できなかった飛沫が含まれている場合でも、装着者が対面している人に向けて飛沫が吹き出すことを防止することができる。
【００３６】
なお、フィルターカバー１２の材質にフッ素樹脂を用いれば、静電気を発生させ、空気中のウイルスをフィルターカバー１２に吸着して、シールド１の内部に侵入することを防止することができる。
【００３７】
フィルター１３の種類は、上述したものに限られない。これらを変更することで、シールド１の性能を変化させることができる。
本体部１０、テンプル２０等の形状及び構造も、上述したものに限られない。これらを変更したり、追加の部品を取り付けたりすることで、シールド１に様々な機能を付加して拡張することができる。
【００３８】
本体部１０は上述した立体的形状を有し、装着者の口Ｍとの間に空間が安定して確保されるため、シールド１によれば、口紅、リップクリーム等が付着しにくい。
また、空間が確保されているため、シールド１によれば、内側から外側への飛沫の飛散及び外側から内側へのウイルス、花粉、粉塵等の侵入を効果的に防止しつつも、装着時の息苦しさ、しゃべりにくさを緩和することができる。
【００３９】
テンプル２０を備えるため、装着者がシールド１を装着したり、脱着したり、位置直しをしたりするときに、テンプル２０が持ち手となる。
このため、装着者は、本体部１０を直接触らずに、装着、脱着等をすることができる。
また、テンプル２０は蝶番２４を介して折り畳めるものであるため、シールド１は、収納性に優れる。
さらに、本体部１０の支持が装着者の鼻Ｎ、頬Ｃ、顎及び耳Ｂとの複数の接点に分散されるので、耳Ｂに集中する場合に比べて、装着者の耳Ｂが痛くなりにくい。
【００４０】
シールド１を構成する部材の材質は上述したものに限られない。例えば、ポリカーボネート樹脂を用いることにより、シールド１は、フェイスガードとして高い強度を備えるため、飛来物から顔面を保護することができる。
【００４１】
（実施の形態２）
実施の形態２に係るマスク２は、実施の形態１に係るシールド１に、装着者の顔との密着性を高める構成を付加したものである。
以下、シールド１と異なる部分を中心に説明する。
【００４２】
（タイト部１７の説明）
図４（Ａ）に示すように、マスク２は、正面からみてシールド１と同様の形状に形成されている。
図４（Ｂ）、（Ｃ）に示すように、マスク２は、本体部１０の内側、すなわち、装着者の顔に近い側に、装着者の顔と密着して内側と外側の気密を保つタイト部１７を備える。タイト部１７は、本体部１０の外縁部において、装着者の鼻Ｎ、頬Ｃ及び口Ｍを閉じた曲線で囲んで配置されている。
【００４３】
図４（Ｄ）に示すように、タイト部１７は、軟質のシリコン又はスポンジのリボンを折り曲げて形成されている。このため、タイト部１７は、折り曲げられた状態から開こうとして、本体部１０によって装着者の顔面に押しつけられる。
図４（Ｃ）に示したように、タイト部１７は、装着者の顔面を閉じた曲線状に囲んでいるため、装着者がマスク２を装着した状態においては、本体部１０及びタイト部１７と装着者の顔面との間に空気が通る隙間が生じない。
【００４４】
マスク２によれば、タイト部１７を備えないシールド１に比べて、ずれにくく、かつ、内側から外側への飛沫の飛散及び外側から内側へのウイルス、花粉、粉塵等の侵入を効果的に防止することができるマスクを提供することができる。
【００４５】
また、タイト部１７は、本体部１０の外縁部に配置されているため、花粉、粉塵等が入り込みにくい。
【００４６】
（実施の形態３）
実施の形態３に係るマスク３は、装着者の顔との密着性をさらに高めたものである。
以下、シールド１及びマスク２と異なる部分を中心に説明する。
【００４７】
図５（Ａ）に示すように、マスク３は、正面からみてマスク２と同様の形状に形成されている。
図５（Ｂ）、（Ｃ）に示すように、マスク３のタイト部３７は、マスク２のタイト部１７に比べて、幅広に形成されている。
【００４８】
幅広のタイト部３７を備えるため、マスク３によれば、シールド１又はマスク２に比べて、よりずれにくく、かつ、内側から外側への飛沫の飛散及び外側から内側へのウイルス、花粉等の侵入をより効果的に防止することができる。
【００４９】
（実施の形態４）
シールド１、マスク２、３は装着者の鼻Ｎ、頬Ｃ及び口Ｍを覆うものであるが、実施の形態４に係るマスク４は、装着者の目Ｅをも覆うものである。
【００５０】
図６に示すように、マスク４は、本体部１０の上端部に、装着者の目Ｅを保護するゴーグル部１５を備える。
ゴーグル部１５は、装着者の顔面に沿って緩やかに湾曲する透明な板として形成されている。
ゴーグル部１５は、例えば、ポリカーボネートの素材を含む。ゴーグル部１５は、リム１６を介して、本体部１０と接続されている。
【００５１】
マスク４によれば、装着者の鼻Ｎ及び口Ｍだけでなく、目Ｅにウイルス、花粉等が浸入することも防止することができる。
【００５２】
（実施の形態５）
シールド１、マスク２、３、４において、フィルター１３を介した換気は、装着者の呼吸によって行われる。
これに対し、実施の形態５に係るマスク５は、電気エネルギーを用いて換気を補助するものである。
【００５３】
図７（Ａ）に示すように、マスク５のフィルターカバー３２には、ファン３１が格納されている。
ファン３１には、図示しないバッテリー、スイッチ及びケーブルが接続されている。装着者はスイッチをオンにして、バッテリーに蓄積された電気エネルギーを、ケーブルを介してファン３１のモーターに供給し、ファン３１を回転させる。
ファン３１を回転させると、ファン３１は、フィルターカバー３２の内部に空気を吸い込み、フィルター１３を介して空気を外側から内側に吸入する。なお、ケーブルとファン３１との結線を変えることにより、ファン３１の回転方向を反対にし、ファン３１に、フィルター１３を介して空気を内側から外側に排出させてもよい。
【００５４】
図７（Ｂ）から（Ｅ）は、左のフィルターカバー３２Ｌと右のフィルターカバー３２Ｒのいずれか一方にファン３１を格納し、ファン３１を回転させる方向を様々に変えた場合の換気の具体例を矢印で示したものである。これに対し、図７（Ｆ）から（Ｉ）は、左のフィルターカバー３２Ｌと右のフィルターカバー３２Ｒの両方にファン３１を格納し、格納されたファン３１を回転させる方向を様々に変えた場合の換気の具体例を矢印で示したものである。
図７（Ｆ）及び（Ｇ）に示したように、２つのファン３１を同一の方向に回転させれば、１つのファン３１のみを回転させる場合に比べて、強力な換気を実現することができる。
【００５５】
図７（Ｈ）及び（Ｉ）に示したように、左右のファン３１で回転方向を異ならせてもよい。
このようにすることで、破線で示したように、マスク５の内部で、左から右に向かう一方向の気流を発生させて、空気の滞留を防止することができる。
【００５６】
マスク５によれば、電気エネルギーによって換気が補助されるため、快適な呼吸が実現される。また、装着者の呼気に含まれる湿気が継続的に除去されるため、ムレが抑えられる。
【００５７】
（変形例１）
変形例１に係るマスク６は、マスク２のテンプル２０に比べてカーブが緩いストレートタイプのテンプル２１を備えるものである。
以下、テンプル２０と異なる部分を中心に説明する。
【００５８】
図８（Ａ）、（Ｂ）に示すように、マスク６のテンプル２１は、テンプル２０に比べて緩やかな曲線を描く形状に形成されている。
また、テンプル２１の先端部に設けられた取付孔ＴＨには、複数の突起２２を備える滑り止め２３が嵌め込まれている。突起２２は、装着者の顔に向けて突出していため、装着者がマスク６を装着した状態で、装着者の顔に接する。
【００５９】
図８（Ｃ）に示すように、滑り止め２３を取付孔ＴＨから取り外し、左右のテンプル２１それぞれの取付孔ＴＨに固定紐ＦＳの一端を取り付けてもよい。装着者は、本体部１０、テンプル２１及び固定紐ＦＳからなるループに頭を通して、マスク６を装着する。
さらに、マスク６において、テンプル２１を取り外して、取り外した部分と取付孔ＰＨとを固定紐ＦＳで結んでループを形成してもよい。
【００６０】
マスク６によれば、本体部１０をより安定して顔に支持することができる。
【００６１】
（変形例２）
変形例２に係るマスク７は、マスク２のテンプル２０に代えて、装着者の耳Ｂの後ろに回り込む耳かけゴム２５を備えるものである。
【００６２】
図９に示すように、マスク７は、上固定部２６を介して一端部が本体部１０の上部と接続され、下固定部２７を介して他端部が本体部１０の下部と接続された、耳かけゴム２５を備える。耳かけゴム２５は、本体部１０のうちの左右端部から装着者の耳Ｂに向けてそれぞれ延在する帯状のシリコンゴムである。
耳かけゴム２５は、シリコンゴムを全体として扁平な形状に成型して形成されている。
耳かけゴム２５のうち、本体部１０の左端部から延在するものは、請求項における左耳かけゴムの一例であり、本体部１０の右端部から延在するものは、請求項における右耳かけゴムの一例である。
【００６３】
上固定部２６は、本体部１０と接続された状態で、マスク２における蝶番２４の位置に配置されている。上固定部２６は、例えば、図示しないビスで本体部１０と接続され、装着者は、上固定部２６の側面を押すことで、ワンタッチで本体部１０との接続を解除することができる。
下固定部２７は、例えば、ピン２８を取付孔ＰＨに差し込んで固定することによって、ピン２８の頭部との間に本体部１０を挟み込んで固定するものである。
【００６４】
マスク７によれば、耳かけゴムの復元力によって本体部１０が装着者の顔に押しつけられるので、本体部１０をより安定して顔に支持することができる。
【００６５】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【符号の説明】
【００６６】
１      シールド
２、３、４、５、６、７  マスク
１０    本体部
１２、３２  フィルターカバー
１２ａ  外フィン
１２ｂ  内フィン
１２ｃ  軟質ガスケットリング
１２ｄ  軟質タイト部
１３    フィルター
１４    桟
１５    ゴーグル部
１７、３７  タイト部
２０、２１  テンプル
２２    突起
２３    滑り止め
２４    蝶番
２５    耳かけゴム
２６    上固定部
２７    下固定部
２８    ピン
３１    ファン
Ｃ      頬
Ｍ      口
Ｎ      鼻
Ｂ      耳
Ｅ      目
Ｒ      稜線
ＶＨ    換気孔
ＦＳ    固定紐
ＰＨ、ＴＨ  取付孔
【図１】
0003229569.tif 000003
【図２】
0003229569.tif 000004
【図３】
0003229569.tif 000005
【図４】
0003229569.tif 000006
【図５】
0003229569.tif 000007
【図６】
0003229569.tif 000008
【図７】
0003229569.tif 000009
【図８】
0003229569.tif 000010
【図９】
0003229569.tif 000011